(57)【要約】【課題】  本発明は、ヘアパック用シートの形状に関するものである。 【解決手段】  本発明によるヘアパックは、内部空間が備えられてパック剤が収容され、使用者が前記内部空間に頭を入れるための開口部が形成され、使用者が頭にかぶることができるように構成され、前記内部空間のうち、使用者の頭の後ろ側に該当する部分が相対的により広く設けられることができる。
2020515377.tif 000002
【特許請求の範囲】
【請求項１】
内部空間が備えられてパック剤が収容され、
使用者が前記内部空間に頭を入れるための開口部が形成され、
使用者が頭にかぶることができるように構成され、
前記内部空間のうち、使用者の頭の後ろ側に該当する部分が頭の上側に該当する部分よりも相対的により広く設けられ、
楕円形に形成される第１のシート及び前記第１のシートに相当する形状に形成されて前記第１のシート上に重なって周囲に沿って縫合される第２のシートで構成され、
前記内部空間が、前記第１のシートと前記第２のシートの間に備えられることができ、
前記開口部は、前記第１のシートに形成され、その楕円形の長軸方向を基準にするとき、一端側に偏心されて配置されるヘアパック。
【請求項２】
前記開口部の周辺を含む少なくとも一部の領域は、弾性材料からなり、
前記開口部の周囲は、使用者の頭囲よりも小さく形成される請求項１に記載のヘアパック。
【請求項３】
前記開口部は、前記長軸方向に沿って延長される形状に形成される請求項１に記載のヘアパック。
【請求項４】
前記開口部を塞ぐことができるように着脱可能に付着されるシールをさらに含む請求項１に記載のヘアパック。
【請求項５】
前記開口部は、
前記開口部が形成される領域の周囲に沿って不連続的な切開線が形成され、
前記領域よりも大きく形成され、前記領域を覆うことができるよう付着されるシールをさらに含み、
使用者が前記シールをはがすと、前記領域が前記シールと一緒についていきながら前記第１のシートから分離されることによって前記開口部が形成されることができる請求項１に記載のヘアパック。
【発明の詳細な説明】
【技術分野】
【０００１】
本発明は、ヘアパックに関するものであって、より詳細には、毛髪や頭皮をケアするためのヘアパックに関するものである。
【背景技術】
【０００２】
最近になって老若男女を問わず美容に関する関心が増大している。しかし、頻繁な髪染めとパーマ、そしてワックスやヘアスプレーなどの使用により、毛髪が損傷される場合が増えている。また、各種のストレスだけでなく、大気汚染や水質汚染などにより、その損傷がさらに促進されている。
そのため、毛髪の保護や損傷された部分を治療するためのヘアパック製品が開発されている。しかし、従来のヘアパックは、使用者が手で直接パック剤を頭に塗らなければならない煩わしさがある。
【０００３】
よって、通常のシャワーキャップの形態として、パック剤が予め収容されているヘアパックが提案されている。例えば、このようなヘアパックは、登録実用新案公報第２０-０４７４１１０号に開示されている。要するに、使用者の頭の左側の部位を包むシートと使用者の頭の右側の部位を包むシートを重ね、いずれ一側を除いた残りの周囲に沿って縫合し、その内部にパック剤が収容される。そして縫合されていない一側を広げて帽子をかぶるように頭を入れて使用するものである。
【０００４】
しかし、髪の長い使用者がこのようなヘアパックを使用するためには、髪を全体的に巻き上げた後に着用しなければならない不便さがある。さらにその巻き上げた部分にはパック剤がきちんと付くことができないため、ヘアパックの効果が落ちる問題がある。
【０００５】
また、開口部が使用者の頭囲に合わない場合、締め紐やテープなどを使用して使用者の頭囲に合うように固定しているが、このような固定手段がヘアパックから分離されてきちんと固定されなかったり、固定されても合成樹脂などからなるヘアパックが頭の周囲に沿って緊密に密着されないためパック剤がその隙間から流れ落ちる現象が発生したりすることもある。
【０００６】
また、これらのヘアパックによれば、縫合線が額側から頭頂側を過ぎて後頭側につながるようになるが、使用者がヘアパックを着用するために前述したような縫合されていない一側を広げる時、縫合線のうち両終端や頭頂側の部分に比較的大きな力が加えられ、縫合線が破れることがおきる問題がある。
【０００７】
さらにその開放された一側を通じてパック剤が外部に漏れることがあるため、パック剤が特定の空間にのみ限定的に収容されなければならない制約が存在する。
【発明の概要】
【発明が解決しようとする課題】
【０００８】
上記の問題を解決するために、本発明は、髪の長い使用者も容易に使用することができるヘアパックを提供することを目的とする。
【０００９】
本発明の他の目的は、パック剤が髪全体にまんべんなく塗布されることができるヘアパックを提供することにある。
【００１０】
本発明のさらに他の目的は、別途の固定手段がなくても使用中のパック剤が流れ落ちないように防止できるヘアパックを提供することにある。
【００１１】
本発明のさらに他の目的は、着用時に縫合線が意に反して破れたり裂けたりしないように防止できるヘアパックを提供することにある。
【００１２】
本発明のさらに他の目的は、保管時にパック剤が外部に漏れたり変性されたりしないように防止できるヘアパックを提供することにある。
【課題を解決するための手段】
【００１３】
本発明によるヘアパックは、内部空間が備えられてパック剤が収容され、使用者が上記内部空間に頭を入れるための開口部が形成され、使用者が頭にかぶることができるように構成され、上記内部空間のうち、使用者の頭の後ろ側に該当する部分が相対的により広く設けられることができる。
【００１４】
また、上記開口部の周辺を含む少なくとも一部の領域は、弾性材料からなり、上記開口部の周囲は、使用者の頭囲よりも小さく形成されることができる。
【００１５】
また、楕円形に形成される第１のシート及び上記第１のシートに相当する形状に形成されて上記第１のシート上に重なって周囲に沿って縫合される第２のシートで構成され、上記内部空間が、上記第１のシートと上記第２のシートの間に備えられることができ、上記開口部は、上記第１のシートに形成され、その楕円形の長軸方向を基準にするとき、一端側に偏心されて配置されることができる。
【００１６】
また、上記開口部は、上記長軸上に配置されることができる。
【００１７】
また、上記開口部は、上記長軸方向に沿って延長される形状に形成されることができる。
【００１８】
また、上記第１のシートの開口部を塞ぐことができるように着脱可能に付着されるシールをさらに含むことができる。
【００１９】
また、上記開口部は、その開口部が形成される領域の周囲に沿って不連続的な切開線が形成され、上記領域よりも大きく形成され、上記領域を覆うことができるよう付着されるシールをさらに含み、使用者が上記シールをはがすと、上記領域が上記シールと一緒についていきながら分離されることによって形成されることができる。
【発明の効果】
【００２０】
本発明によるヘアパックは、使用者の頭の後ろ側に該当する部分に相対的により広い空間が設けられる。したがって、髪の長い使用者が髪を全体的に頭の後ろ側に広げた状態で容易に使用することができる。また、これにより、パック剤が頭皮と髪によりまんべんなく塗布されることができる。
【００２１】
また、開口部周辺を含む領域が弾性素材からなり、開口部が使用者の頭囲よりも小さく形成されるため、開口部周辺が使用者の頭に密着するようになる。したがって、開口部周辺と使用者の頭の間の隙間からパック剤が流れ落ちることを防止することができる。また、これにより、別途の締め紐やテープなどの固定手段が備えられる必要がないため、使用がより容易である。
【００２２】
また、下部シートと使用者の頭頂側を主に包む上部シートが互いに重なって周囲に沿って縫合され、縫合線が使用者の頭頂側の周辺に沿って囲むようになるため、着用時に縫合線が意に反して破れたり裂けたりすることを防止することができる。
【００２３】
また、開口部を塞ぐようにシールを付着ことによって、保管時のパック剤が外部に漏れることを防止する一方、パック剤が乾いたり変性されたりすることも防止することができる。特に、開口部が形成される領域に不連続的な切開線を形成し、その領域を覆うようにシールを付着して、シールを剥がすと上記領域がシールと一緒についていきながら開口部が形成されるようにすることによって、パック剤がシールに直接接触して変性されることをさらに防止することができる。
【図面の簡単な説明】
【００２４】
図１は、使用者が本発明の一実施例によるヘアパックを着用している様子を示した斜視図である。
図２は、本発明の一実施例によるヘアパックの底面図である。
図３は、本発明の一実施例によるヘアパックの平面図である。
図４は、本発明の一実施例によるヘアパックの正面図である。
図５は、本発明の他の実施例によるヘアパックの底面図である。
図６は、本発明の他の実施例によるヘアパックにおいて、シールを付着する前の状態を示した底面図である。
図７は、本発明の他の実施例によるヘアパックにおいて、シールを付着した状態を示した底面図である。
図８は、本発明の他の実施例によるヘアパックにおいて、シールを除去した状態を示した底面図である。
【発明を実施するための形態】
【００２５】
以下では、図面を参照して、本発明の各実施例によるヘアパックに関して詳細に説明する。
【００２６】
図１は、使用者が本発明の一実施例によるヘアパック（１００）を着用している様子を示した斜視図である。また、図２は、本発明の一実施例によるヘアパック（１００）の底面図であり、図３は、本発明の一実施例によるヘアパック（１００）の平面図であり、図４は、本発明の一実施例によるヘアパック（１００）の正面図である。
【００２７】
まず図１を参照すると、ヘアパック（１００）は、大概使用者が頭にかぶることができるよう構成され、その内部にヘアパック用のパック剤が収容される。この時、使用者の頭の前側や両横側に比べて頭の後ろ側に該当する部分に相対的により広い空間が設けられる。したがって、髪の長い使用者の場合、髪を全体的にその頭の後ろ側に広げた状態で容易に使用できる利点がある。
【００２８】
より具体的に図２〜図４を参照すると、ヘアパック（１００）は、下部シート（１１０）及び上部シート（１２０）を含む。ただし、ここで「上部」と「下部」は、単にヘアパック（１００）の使用状態を基準に相対的な位置を区別して称するためのものであって、絶対的な位置を意味するものではない。したがって、もしヘアパック（１００）が逆さまになれば、上記下部シート（１１０）は上部シートとして見られ、上記上部シート（１２０）は下部シートとして見られるものである。
【００２９】
このような下部シート（１１０）と上部シート（１２０）のうち少なくともいずれか一つは、弾性材料で製作されることができる。
【００３０】
下部シート（１１０）は、大概丸い形状で形成される。
【００３１】
特に、下部シート（１１０）は、図２に示されたように実質的な楕円形で形成されることができる。ただし、ここで「楕円形」は、数学的に厳密に二つの焦点から離隔された距離の合計が同じ点の跡だけを意味するものではなく、大概細長い丸い形状をまとめて称するものとして解釈される。
【００３２】
このとき、下部シート（１１０）は、その楕円形の長軸（Ｘ）方向を基準にするとき、一端側（１１０ａ）から他端側（１１０ｂ）に行くほど全体的に広がるように形成されることができる。例えば、下部シート（１１０）は、大概卵型に類似した形状に形成されることができる。
【００３３】
また、下部シート（１１０）には、開口部（１１１）が形成される。開口部（１１１）は、後述するように使用者がヘアパック（１００）を着用する時に頭を入れるための部分である。
【００３４】
よって開口部（１１１）の周囲は、一般的な使用者の頭囲に相当するか、それより少し小さく形成されることが望ましい。もし下部シート（１１０）が弾性材料からなり、開口部（１１１）の周囲が使用者の頭囲より小さく形成されると、開口部（１１１）の周囲がその頭の頭囲に合うように伸びて開口部（１１１）の周辺が使用者の頭に密着するようになる。したがって、使用中のパック剤やその他の液体などが開口部（１１１）を通じて流れ落ちることを防止することができる。また、使用者がヘアパック（１００）を着用した状態でも他の不便さなしに歩いたり、それ以外の他の活動をしたりすることができるものである。さらにこれによると、ヘアパック（１００）を使用者の頭囲に合わせて調整して固定するための別途の締め紐やテープなどの手段が具備される必要がないため、製作費用が減り、使用するにも便利な利点がある。
【００３５】
このような開口部（１１１）は、スリット形態に細長く形成されることができる。図２においては、開口部（１１１）が上記長軸（Ｘ）方向に沿って長く延長されるように形成されるもので例示されているが、その楕円形の短軸方向に平行な方向に沿って長く延長されるように形成されることもできる。これによると、各使用者の頭の形状と関係なしに開口部（１１１）の周辺がすべての使用者の頭に大概良く合うように密着されることができる。
【００３６】
特に、開口部（１１１）は、上記長軸（Ｘ）上に形成されることができるが、その楕円形の中心から上記一端側（１１０ａ）に偏心されて配置される。
【００３７】
上部シート（１２０）は、使用者がヘアパック（１００）を着用した時に頭頂側とその周辺を主に包む面であって、図３に示されたように、下部シート（１１０）に相当する形状に形成される。すなわち、上部シート（１２０）も実質的な楕円形で形成され、その楕円形の長軸（Ｘ）方向を基準にするとき、一端側（１２０ａ）から他端側（１２０ｂ）に行くほど全体的に広がるように形成されることができる。
【００３８】
このような下部シート（１１０）と上部シート（１２０）は、図４に示されたように、互いに重なって周囲に沿って縫合される。すなわち、縫合線（Ｌ）が、上記一端側（１１０ａ、１２０ａ）、使用者の頭の左側に該当する部分（１１０ｃ、１２０ｃ）、上記他端側（１１０ｂ、１２０ｂ）、使用者の頭の右側に該当する部分（１１０ｄ、１２０ｄ ）そして再び上記一端側（１１０ａ、１２０ａ）を全体的に沿って囲むように形成される。
これのために、下部シート（１１０）と上部シート（１２０）の周囲が互いに縫製されることもでき、熱接着または別途の接着剤によって互いに固定されることもできる。もちろん下部シート（１１０）と上部シート（１２０）の周囲が互いに縫合さえできれば、その他の公知の方式が採用されることもできる。
【００３９】
これによって、下部シート（１１０）と上部シート（１２０）が周囲に沿って互いに縫合されると、下部シート（１１０）と上部シート（１２０）の間には、開口部（１１１）が形成された部分を除いて限定された空間が形成されるようになる。このとき、下部シート（１１０）と上部シート（１２０）の間の空間にパック剤が収容される。
【００４０】
これのために、下部シート（１１０）と上部シート（１２０）が周囲に沿って互いに縫合された後、パック剤が注入されることもでき、下部シート（１１０）と上部シート（１２０）の互いに対向するようになる面、すなわち、下部シート（１１０）の上面と上部シート（１２０）の下面にパック剤がそれぞれ塗布または吸収された状態で下部シート（１１０）と上部シート（１２０）が周囲に沿って互いに縫合されることもできる。もちろん下部シート（１１０）と上部シート（１２０）の間の空間にパック剤が収容さえできれば、その他の公知の方式が採用されることもできる。
【００４１】
再度図１を参照すると、使用者はヘアパック（１００）を着用するために開口部（１１１）を通じて下部シート（１１０）と上部シート（１２０）の間の空間に頭を入れる。
この時、上記一端側（１１０ａ、１２０ａ）を使用者の頭の前側に、そして上記他端側（１１０ｂ、１２０ｂ）を使用者の頭の後ろ側に配向する。
【００４２】
前述したように、下部シート（１１０）と上部シート（１２０）が実質的な楕円形に形成されるにおいて、上記他端側（１１０ｂ、１２０ｂ）に行くほど広くなるように形成され、開口部（１１１）が上記一端側（１１０ａ）に偏心されて配置されると、開口部（１１１）を中心に上記他端側（１１０ｂ、１２０ｂ）、すなわち、使用者の頭の後ろ側に相対的に広い空間が設けられることができる。
【００４３】
したがって、髪の長い使用者が髪を巻き上げなくても髪を頭の後ろ側に広げた状態で容易に着用することができる。
【００４４】
また、このように髪を全体的に広げた状態で使用することができるため、髪を巻き上げた状態で使用する場合と比較して、パック剤が頭皮から髪の先までまんべんなく塗布されることができる。
【００４５】
また、下部シート（１１０）と使用者の頭頂側を主に包む上部シート（１２０）が互いに重なって周囲に沿って縫合されているため、縫合線（Ｌ）が使用者の額側から頭頂側を過ぎて後頭側につながるのではなく、使用者の頭頂側の周辺に沿って囲むようになる。
【００４６】
大概使用者は、開口部（１１１）の両側を広げて頭を入れた後、下に下す方式でヘアパック（１００）を着用する。もし縫合線（Ｌ）が、使用者の額側から頭頂側を過ぎて後頭側につながっていると、使用者が開口部（１１１）の両側を広げるときに縫合線（Ｌ）のうち開口部（１１１）と交わる両終端に応力が集中して、その部分に該当する縫合線（Ｌ）が破れる場合がある。さらに、使用者が頭の上から下に下しながら着用するときは、縫合線（Ｌ）のうち頭頂側に相対的に大きい応力が加わるため、同様に、その部分に該当する縫合線（Ｌ）が破れることがある。
【００４７】
しかし、本発明によるヘアパック（１００）は、下部シート（１１０）に開口部（１２１）が形成され、縫合線（Ｌ）が開口部（１２１）の周辺または頭頂側の周辺に沿って囲むように形成されるため、前述したように各部分に該当する縫合線（Ｌ）が破れることを防止することができる。
【００４８】
さらに平面的な下部シート（１１０）と上部シート（１２０）が互いに重なる形態になると、ヘアパック（１００）も全体的に平面的に形成される。したがって、必要に応じてヘアパック（１００）を畳んで小さいサイズに包装することができ、複数のヘアパック（１００）を一緒に積むこともできるので、流通や保管時に空間上有利な利点がある。
【００４９】
一方、このような下部シート（１１０）と上部シート（１２０）は、弾性不織布で製作され、下部シート（１１０）と上部シート（１２０）の間の空間が一般的な使用者の髪をすべて合わせた体積に相当するか、それより若干小さく形成することができる。
【００５０】
これによると、着用時に下部シート（１１０）と上部シート（１２０）が使用者の髪に密着されることができるため、使用者がマッサージなどの行為をしなくてもパック剤が効果的に吸収されることができる。
【００５１】
このとき、下部シート（１１０）の下面と上部シート（１２０）の上面には、パック剤が染み出ないように防水処理が行われることもできる。
【００５２】
図５は、本発明の他の実施例によるヘアパック（２００）の底面図である。
【００５３】
本発明の他の実施例によるヘアパック（２００）は、図２〜図４を参照して説明した本発明の一実施例によるヘアパック（１００）と比較すると、シール（２３０）をさらに含む違いがある。
【００５４】
それ以外の他の事項は、本発明の一実施例によるヘアパック（１００）と実質的に同一であり、もし一部異なる部分があっても、通常の技術者であれば上記の違いに対応して当然変形するものであると予想される程度に過ぎないので、これに関して重複する説明は省略することにする。
【００５５】
図５を参照すると、シール（２３０）は、下部シート（２１０）の開口部（２１１）を塞ぐことができるように下部シート（２１０）の下面に着脱可能に付着される。
【００５６】
もし開口部（２１１）がそのまま開放されていると、パック剤がその開口部（２１１）を通じて漏れないように、下部シート（２１０）と上部シート（１２０）の間の特定の空間にのみ限定的な量のパック剤を塗布しなければならない。しかし、このようにシール（２３０）で開口部（２１１）を塞ぐと、パック剤がその開口部（２１１）を通じて外部に漏れる恐れがないので、下部シート（２１０）と上部シート（１２０）の間の全体的な空間に十分な量のパック剤を塗布することができる。また、これによって、使用者の髪にパック剤がよりまんべんなく塗布されるようにすることができる。
【００５７】
さらにパック剤が開口部（２１１）を通じて外部に露出されることによって乾いたり変性されたりすることを防止することもできる。
【００５８】
もちろん、使用者がヘアパック（２００）を使用する時にはシール（２３０）をはがして使用する。
【００５９】
図６は、本発明の他の実施例によるヘアパック（３００）において、シール（３３０）を付着する前の状態を示した底面図であり、図７は、本発明の他の実施例によるヘアパック（３００）において、シール（３３０）を付着した状態を示した底面図であり、図８は、本発明の他の実施例によるヘアパック（３００）において、シール（３３０）を除去した状態を示した底面図ある。
【００６０】
まず、図６を参照すると、下部シート（３１０）には、開口部（３１１）を設けるための領域（Ａ）の周囲に沿って切開線（Ｃ）が形成される。このとき、切開線（Ｃ）は、不連続的に形成される。そのため、本状態ではまだ開口部（３１１）が完全に形成されない。
【００６１】
一方、シール（３３０）は、図７に示されたように、上記領域（Ａ）よりも大きく形成されて上記領域（Ａ）を覆うように下部シート（３１０）に付着される。
【００６２】
この場合、使用者がヘアパック（３００）を使用するためにシール（３３０）をはがすと、図８に示されたように、上記領域（Ａ）がシール（３３０）と一緒についていきながら下部シート（３１０）から破れて分離されるため、初めて下部シート（３１０）に開口部（３１１）が形成される。
【００６３】
これによると、上記領域（Ａ）を通じてパック剤がシール（３３０）に直接接触されることを遮断することによって、パック剤が変性されることをさらに防止することができる。
【００６４】
前述され、図面に示された本発明の実施例は、本発明の技術的思想を限定しない。本発明の保護範囲は、特許請求の範囲に記載された事項によって定められる。一方、通常の技術者であれば、本発明の技術的思想を多様に改良または変更することができるものである。これらの改良や変更は、通常の技術者に自明なものである限り、本発明の保護範囲に属する。
【符号の説明】
【００６５】
１００             ヘアパック
１１０        下部シート
１１１        開口部
１２０        上部シート
２３０        シール
【図１】
2020515377.tif 000003
【図２】
2020515377.tif 000004
【図３】
2020515377.tif 000005
【図４】
2020515377.tif 000006
【図５】
2020515377.tif 000007
【図６】
2020515377.tif 000008
【図７】
2020515377.tif 000009
【図８】
2020515377.tif 000010
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
楕円形に形成される第１のシート、及び
前記第１のシートと対応する形状を有し、前記第１のシートと結合され、密閉可能な開口部を有する第２のシートを含み、
前記第１のシート及び前記第２のシートの間にパック剤を収容するための空間が形成され、前記第１のシートは、第１の端部と、前記第１の端部よりも大きい幅を有する第２の端部を含み、
前記開口部は、前記第２の端部より前記第１の端部に近く配置されるヘアパック。
【請求項２】
前記第２のシートにおいて、前記開口部の周辺を含む少なくとも一部の領域は、弾性材料からなる請求項１に記載のヘアパック。
【請求項３】
前記開口部は、前記第２のシートにおいて、前記楕円形の長軸方向に沿って延長されるスリット形状に形成される請求項１に記載のヘアパック。
【請求項４】
前記開口部を塞ぐことができるように前記第２のシート上に着脱可能に付着されるシールをさらに含む請求項１に記載のヘアパック。
【請求項５】
前記開口部は、
前記開口部の周囲に沿って形成された不連続的な切開線で区分され、前記第２のシートの一部に形成される内部領域を含み、
前記第２のシート上に付着された前記シールが前記第２のシートから分離されるとき、前記内部領域が前記シールに付着されて一緒に前記第２のシートから分離されることができるように構成される請求項４に記載のヘアパック。
【請求項６】
前記第１のシート及び前記第２のシートのうち少なくとも一つは、弾性材料からなる請求項１に記載のヘアパック。
【請求項７】
前記開口部は、前記第２のシートにおいて、前記楕円形の短軸方向に平行な方向に沿って長く延長されて形成される請求項１に記載のヘアパック。
【請求項８】
前記第１のシートの周囲と前記第２のシートの周囲は、縫製、熱接着または接着剤による結合のうち少なくとも一つによって相互縫合される請求項１に記載のヘアパック。
【請求項９】
前記パック剤は、前記第１のシートまたは第２のシートのうち少なくとも一つの内部表面に塗布または吸収された状態で、内部空間に収容される請求項１に記載のヘアパック。
【請求項１０】
前記第１のシート及び前記第２のシートは、防水処理された請求項１に記載のヘアパック。
【請求項１１】
卵型曲線の形態に形成される第１のシート、及び
前記第１のシートと対応する形状を有し、前記第１のシートと結合され、密閉可能な開口部を有する第２のシートを含み、
前記第１のシートと前記第２のシートの間にパック剤を収容するための空間が形成されるヘアパック。
【請求項１２】
前記第２のシートにおいて、前記開口部の周辺を含む少なくとも一部の領域は、弾性材料からなる請求項１１に記載のヘアパック。
【請求項１３】
前記開口部は、前記第２のシートの長軸方向に沿って延長されるスリット形状に形成される請求項１１に記載のヘアパック。
【請求項１４】
前記開口部を塞ぐことができるように前記第２のシート上に着脱可能に付着されるシールをさらに含む請求項１１に記載のヘアパック。
【請求項１５】
前記開口部は、
前記開口部の周囲に沿って形成された不連続的な切開線で区分され、前記第２のシートの一部に形成される内部領域を含み、
前記第２のシート上に付着された前記シールが前記第２のシートから分離されるとき、前記内部領域が前記シールに付着されて一緒に前記第２のシートから分離されることができるように構成される請求項１４に記載のヘアパック。
【請求項１６】
前記第１のシート及び前記第２のシートのうち少なくとも一つは、弾性材料からなる請求項１１に記載のヘアパック。
【請求項１７】
前記開口部は、前記第２のシートの短軸方向に平行な方向に沿って長く延長されて形成される請求項１１に記載のヘアパック。
【請求項１８】
前記第１のシートの周囲と前記第２のシートの周囲は、縫製、熱接着または接着剤による結合のうち少なくとも一つによって相互縫合される請求項１１に記載のヘアパック。
【請求項１９】
前記パック剤は、前記第１のシートまたは第２のシートのうち少なくとも一つの内部表面に塗布または吸収された状態で、内部空間に収容される請求項１１に記載のヘアパック。
【請求項２０】
前記第１のシート及び前記第２のシートは、防水処理された請求項１１に記載のヘアパック。
【国際調査報告】
2020515377.tif 000011
2020515377.tif 000012
2020515377.tif 000013
2020515377.tif 000014